(57)【要約】【課題】改ざんの有無を瞬時かつ確実に確認することができ、ひいては改ざんしようとしている人に改ざんを躊躇させることができる冊子体を提供する。【解決手段】紙片体１６の複数の部位に亘って着色の異なる複数の糸１８、２０、２２、２４、２６で綴じられているため、糸１８、２０、２２、２４、２６を切断して紙片１２を別のものと取り替え、あるいは取り除くなどの改ざんをした場合には、使用している糸１８、２０、２２、２４、２６が異なることになり、改ざんされているか否かを糸の着色により瞬時に判断できる。また、改ざんしようとする人に、改ざんを躊躇させることができる。【選択図】      図１
2006256170.tif 000002
【特許請求の範囲】
【請求項１】
複数枚の紙片を重ねて折目線で折り曲げられて構成される紙片体を糸によるかがり綴じにより複数連ねて設けられた冊子体であって、
前記紙片体の複数の部位に亘って、着色の異なる複数の糸で綴じられていることを特徴とする冊子体。
【請求項２】
複数枚の紙片を重ねて折目線で折り曲げられて構成される紙片体を糸によるかがり綴じにより複数連ねて設けられた冊子体であって、
前記糸には、着色の異なる複数の着色領域が形成されていることを特徴とする冊子体。
【請求項３】
複数枚の紙片を重ねて折目線で折り曲げられて構成される紙片体を糸によるかがり綴じにより複数連ねて設けられた冊子体であって、
前記紙片体の内側の折目線の１つの部位には１本の糸が折り曲げられて複数本とされた状態で露出しており、前記複数本の糸の着色が相互に異なることを特徴とする冊子体。
【請求項４】
前記紙片体の内側の折目線に露出する前記糸の着色が前記紙片体ごとに異なることを特徴とする請求項２又は３に記載の冊子体。
【請求項５】
前記糸の着色パターンを表示した表示部が設けられていることを特徴とする請求項１乃至４のいずれか１項に記載の冊子体。
【請求項６】
前記表示部は、前記冊子体に印刷されていることを特徴とする請求項５に記載の冊子体。
【発明の詳細な説明】
【技術分野】
【０００１】
本発明は、複数枚の紙片を重ねて折目線で折り曲げられて構成される紙片体を糸によるかがり綴じにより複数連ねて設けられた冊子体に関する。
【背景技術】
【０００２】
従来から数枚の紙片を重ねて折目線で折り曲げられて構成される紙片体を糸によるかがり綴じにより複数連ねて設けられた冊子体が知られている。かかる冊子体に用いられている糸は同一色（例えば白色）に着色されているため、糸を切断した後、各紙片体の一部又は全部を別のものと取り替えあるいは取り除き、再度、別の同一色（例えば白色）の糸でかがり綴じして改ざんした場合などには、改ざんの有無を判断することは困難である。
【特許文献１】特開平７−１５６５７８号公報
【特許文献２】特開２００１−３０５０７８号公報
【発明の開示】
【発明が解決しようとする課題】
【０００３】
ところが、重要な内容が記載されている冊子体を改ざんした場合には、その使用者などに大きな不利益を与えるおそれがあるため、改ざんの有無を容易かつ確実に判断することができ、ひいては改ざんしようとしている人に改ざんを躊躇させる必要がある。
【０００４】
そこで、本発明は、上記事情を考慮し、改ざんの有無を瞬時かつ確実に確認することができ、ひいては改ざんしようとしている人に改ざんを躊躇させることができる冊子体を提供することを目的とする。
【課題を解決するための手段】
【０００５】
請求項１に記載の発明は、複数枚の紙片を重ねて折目線で折り曲げられて構成される紙片体を糸によるかがり綴じにより複数連ねて設けられた冊子体であって、前記紙片体の複数の部位に亘って、着色の異なる複数の糸で綴じられていることを特徴とする。
【０００６】
請求項１に記載の発明によれば、紙片体の複数の部位に亘って着色の異なる複数の糸で綴じられているため、糸を切断して紙片又は紙片体を別のものと取り替え、あるいは取り除くなどの改ざんをした場合には、改ざん前の糸の着色と改ざん後の糸の着色が異なれば、改ざんされているか否かを糸の着色により瞬時に判断できる。また、改ざん前の糸の着色と同一色の糸の入手が困難なことも相まり、改ざんしようとする人に、改ざんを躊躇させることができる。
【０００７】
請求項２に記載の発明は、複数枚の紙片を重ねて折目線で折り曲げられて構成される紙片体を糸によるかがり綴じにより複数連ねて設けられた冊子体であって、前記糸には、着色の異なる複数の着色領域が形成されていることを特徴とする。
【０００８】
請求項２に記載の発明によれば、糸には着色の異なる複数の着色領域が形成されているため、糸を切断して紙片又は紙片体を別のものと取り替え、あるいは取り除くなどの改ざんをした場合には、改ざん前の糸の着色と改ざん後の糸の着色が異なれば、改ざんされているか否かを糸の着色により瞬時に判断できる。特に、着色の異なる複数の着色領域が形成されている糸は非常に珍しいため、これと同一の糸を見つけ出すことが困難であり、改ざん後、元の糸と同一の糸でかがり綴じすることができず、改ざんの有無を確実に判断することができる。また、改ざん前の糸の着色と同一色の糸の入手が困難なことも相まり、改ざんしようとする人に、改ざんを躊躇させることができる。
【０００９】
請求項３に記載の発明は、複数枚の紙片を重ねて折目線で折り曲げられて構成される紙片体を糸によるかがり綴じにより複数連ねて設けられた冊子体であって、前記紙片体の内側の折目線の１つの部位には１本の糸が折り曲げられて複数本とされた状態で露出しており、前記複数本の糸の着色が相互に異なることを特徴とする。
【００１０】
請求項３に記載の発明によれば、紙片体の内側の折目線の１つの部位には１本の糸が折り曲げられて複数本とされた状態で露出しており、複数本の糸の着色が相互に異なるため、糸を切断して紙片又は紙片体を別のものと取り替え、あるいは取り除くなどの改ざんをした場合には、改ざん前の糸の着色と改ざん後の糸の着色が異なれば、改ざんされているか否かを糸の着色により瞬時に判断できる。また、改ざん前の糸の着色と同一色の糸の入手が困難なことも相まり、改ざんしようとする人に、改ざんを躊躇させることができる。
【００１１】
請求項４に記載の発明は、請求項２又は３に記載の冊子体において、前記紙片体の内側の折目線に露出する前記糸の着色が前記紙片体ごとに異なることを特徴とする。
【００１２】
請求項４に記載の発明によれば、紙片体の内側の折目線に露出する糸の着色が紙片体ごとに異なるため、糸を切断して紙片又は紙片体を別のものと取り替え、あるいは取り除くなどの改ざんをした場合には、改ざん前の糸の着色と改ざん後の糸の着色が異なれば、改ざんされているか否かを糸の着色により瞬時に判断できる。
【００１３】
請求項５に記載の発明は、請求項１乃至４のいずれか１項に記載の冊子体において、前記糸の着色パターンを表示した表示部が設けられていることを特徴とする。
【００１４】
請求項５に記載の発明によれば、糸の着色パターンを表示した表示部が設けられているため、その表示部に表示された糸の着色パターンとかがり綴じに用いられている糸の着色パターンを比較することにより、改ざんされているか否かを容易に判断できる。
【００１５】
請求項６に記載の発明は、請求項５に記載の冊子体において、前記表示部は、前記冊子体に印刷されていることを特徴とする。
【００１６】
請求項６に記載の発明によれば、表示部は冊子体に印刷されているため、表示部に表示された糸の着色パターンを消すなどの悪戯を防止できる。また、表示部を紛失してしまうことがない。
【発明の効果】
【００１７】
本発明によれば、改ざんの有無を瞬時かつ確実に確認することができ、ひいては改ざんしようとしている人に改ざんを躊躇させることができる。
【発明を実施するための最良の形態】
【００１８】
次に、本発明の第１実施形態に係る冊子体について、図面を参照して説明する。
【００１９】
図１に示すように、本実施形態の冊子体１０は、複数枚の紙片１２を重ねて折目線１４で折り曲げられて構成される各紙片体１６を糸によるかがり綴じにより複数連ねて設けられている。
【００２０】
ここで、紙片体１６の複数の部位（例えば５箇所）に亘って、着色の異なる複数の糸１８、２０、２２、２４、２６で綴じられている。すなわち、上から１番目の部位は青色の糸１８で綴じられており、上から２番目の部位は白色の糸２０で綴じられており、上から３番目の部位は黄色の糸２２で綴じられており、上から４番目の部位は赤色の糸２４で綴じられており、上から５番目の部位は緑色の糸２６で綴じられている。なお、着色パターンはこれに限られるものではなく、相互に異なる着色の糸を用いればよい。また、５箇所全ての部位の糸１８、２０、２２、２４、２６の着色を異ならせる構成に限られるものではなく、５箇所のうち少なくとも１箇所の部位に異なる着色の糸を用いればよい。
【００２１】
本実施形態の冊子体１０によれば、紙片体１６の複数の部位（例えば５箇所）に亘って着色の異なる複数の糸１８、２０、２２、２４、２６で綴じられているため、糸１８、２０、２２、２４、２６を切断して紙片１２又は紙片体１６を別のものと取り替え、あるいは取り除くなどの改ざんをした場合には、改ざん前の糸１８、２０、２２、２４、２６の着色と改ざん後の糸の着色が異なれば、改ざんされているか否かを糸の着色により瞬時かつ容易に判断できる。また、改ざんしようとする人に、改ざんを躊躇させることができる。
【００２２】
次に、本発明の第２実施形態に係る冊子体について、図面を参照して説明する。なお、第１実施形態に係る冊子体１０と同様の構成については同符号を付し、適宜その説明を省略する。
【００２３】
図２に示すように、本実施形態の冊子体３０は、３つの紙片体１６（１）、1６（２）、1６（３）が積層されて構成されている。すなわち、冊子体３０の前半頁領域には紙片体１６（１）が位置しており、真ん中頁領域には紙片体１６（２）が位置しており、後半頁領域には紙片体１６（３）が位置している。また、冊子体３０には、着色の異なる複数の着色領域が形成されている糸３２が用いられている。すなわち、紙片体１２の内側の折目線１４に露出する糸３２の着色が各紙片体１６ごとに異なるように構成されている。具体的には、図２（ａ）に示すように冊子体３０の前半頁領域に位置する紙片体１６（１）の内側の折目線１４には赤色に着色された糸３２が露出し、図２（ｂ）に示すように冊子体３０の真ん中頁領域に位置する紙片体１６（２）の内側の折目線１４には白色に着色された糸３２が露出し、図２（ｃ）に示すように冊子体３０の後半頁領域に位置する紙片体１６（３）の内側の折目線１４には青色に着色された糸３２が露出するように構成されている。なお、この構成に加えて、図１に示すように、１つの紙片体１６の複数の部位（例えば５箇所）に亘って着色の異なる複数の糸で綴じるようにしてもよい。
【００２４】
本実施形態の冊子体３０によれば、１本の糸３２には着色の異なる複数の着色領域が形成されているため、糸３２を切断して紙片又は紙片体を別のものと取り替え、あるいは取り除くなどの改ざんをした場合には、改ざん前の糸３２の着色と改ざん後の糸の着色が異なれば、改ざんされているか否かを糸の着色により瞬時に判断できる。特に、着色の異なる複数の着色領域が形成されている糸３２は非常に珍しいため、これと同一の糸を見つけ出すことが困難であり、改ざん後、元の糸と同一の糸でかがり綴じすることができず、改ざんの有無を確実に判断することができる。また、改ざんしようとする人に、改ざんを躊躇させることができる。
【００２５】
次に、本発明の第３実施形態に係る冊子体について、図面を参照して説明する。なお、第１実施形態に係る冊子体１０と同様の構成については同符号を付し、適宜その説明を省略する。
【００２６】
図３に示すように、本実施形態の冊子体５０には、着色の異なる複数の着色領域が形成されている１本の糸５２が用いられている。すなわち、紙片体１６の内側の折目線１４の１つの部位には１本の糸５２が折り曲げられて複数本（例えば２本）とされた状態で露出しており、糸５２が露出した部位の長さ寸法と着色領域の長さ寸法とが略一致するとともに、２本とされた糸５２Ａ、５２Ｂの着色が相互に異なるように構成されている。具体的には、左側に位置する糸５２Ａは青色に着色されており、右側に位置する糸５２Ｂは赤色に着色されている。なお、この構成に加えて、図１に示すように、１つの紙片体１６の複数の部位（例えば５箇所）に亘って着色の異なる複数の糸で綴じるようにしてもよい。
【００２７】
本実施形態の冊子体５０によれば、紙片体１６の内側の折目線１４の１つの部位には１本の糸５２が折り曲げられて複数本（例えば２本）とされた状態で露出しており、複数本（例えば２本）の糸５２Ａ、５２Ｂの着色が相互に異なるため、糸５２を切断して紙片１２又は紙片体１６を別のものと取り替え、あるいは取り除くなどの改ざんをした場合には、改ざん前の糸５２の着色と改ざん後の糸の着色が異なれば、改ざんされているか否かを糸の着色により瞬時に判断できる。また、改ざんしようとする人に、改ざんを躊躇させることができる。
【００２８】
次に、本発明の第４実施形態に係る冊子体について、図面を参照して説明する。なお、第１実施形態に係る冊子体１０と同様の構成については同符号を付し、適宜その説明を省略する。
【００２９】
図４に示すように、本実施形態の冊子体６０では、紙片体１６の内側の折目線１４の１つの部位には１本の糸６２が折り曲げられて複数本（例えば２本）とされた状態で露出しており、それぞれの糸６２Ａ、６２Ｂの露出した部分には着色の異なる複数の着色領域が形成されている。具体的には、左側の糸６２Ａには、青色に着色された第１着色部Ａ１と、白色に着色された第２着色部Ａ２と、赤色に着色された第３着色部Ａ３と、がそれぞれ形成されている。また、右側の糸６２Ｂには、緑色に着色された第１着色部Ｂ１と、黄色に着色された第２着色部Ｂ２と、赤色に着色された第３着色部Ｂ３と、がそれぞれ形成されている。なお、紙片体１６の内側の折目線１４の５つの部位に露出した全ての糸を上記のように着色させてもよい。
【００３０】
本実施形態の冊子体６０によれば、紙片体１６の内側の折目線１４の１つの部位には１本の糸６２が折り曲げられて複数本（例えば２本）とされた状態で露出しており、それぞれの糸６２Ａ、６２Ｂの露出した部分には着色の異なる複数の着色領域が形成されているため、糸６２を切断して紙片１２又は紙片体１６を別のものと取り替え、あるいは取り除くなどの改ざんをした場合には、改ざん前の糸６２の着色と改ざん後の糸の着色が異なれば、改ざんされているか否かを糸の着色により瞬時に判断できる。また、このような糸６２は非常に珍しいため、これと同一の糸を見つけ出すことが困難であり、改ざん後、元の糸と同一の糸でかがり綴じすることができず、改ざんの有無を確実に判断することができる。さらに、改ざんしようとする人に、改ざんを躊躇させることができる。
【００３１】
なお、図５に示すように、かがり綴じに用いられる糸（図５では図示省略）の着色パターンを表示した表示部７４を冊子体７０の表紙の裏面７２などに印刷するようにしてもよい。例えば、表示部７４として、上欄７４Ａと下欄７４Ｂとを形成し、上欄７４Ａに頁数や紙片体１６の順番を示すデータを印字し、下欄７４Ｂにその頁数や紙片体１６の折目腺（図５では図示省略）に露出する糸の色を示すデータを印字したり色見本を示したりする。
【００３２】
上記表示部７４を設けることにより、その表示部７４に表示された糸の着色パターンとかがり綴じに用いられている糸の着色パターンを比較することにより、改ざんされているか否かを容易に判断できる。特に、表示部７４が冊子体７０に印刷されているため、表示部７４に表示された糸の着色パターンを消すなどの悪戯を防止できる。また、表示部７４を紛失してしまうことがない。
【００３３】
なお、本実施形態の「冊子体」とは、例えばノート、手帳類、記録簿、通帳をはじめ、書籍なども含む概念であり、かがり綴じを行う対象のものを全て含む意味である。
【図面の簡単な説明】
【００３４】
【図１】本発明の第１実施形態に係る冊子体の斜視図である。
【図２】本発明の第２実施形態に係る冊子体を構成する各紙片ごとの斜視図である。
【図３】本発明の第３実施形態に係る冊子体の部分的な平面図である。
【図４】本発明の第４実施形態に係る冊子体の部分的な平面図である。
【図５】本発明の冊子体の内側からみた冊子体の平面図である。
【符号の説明】
【００３５】
１０、３０、５０、６０、７０    冊子体
１２                            紙片
１４                            折目線
１６                            紙片体
１８、２０、２２、２４、２６、３２、５２、６２  糸
７４                            表示部
【図１】
2006256170.tif 000003
【図２】
2006256170.tif 000004
【図３】
2006256170.tif 000005
【図４】
2006256170.tif 000006
【図５】
2006256170.tif 000007